(57)【要約】      （修正有）【課題】子供が遊びの中クッションから滑り出すことを防止できる公園用ブランコ椅子を提供する。【解決手段】シート１の両側にサスペンションブロック２を設置してあり、そのシート１のトップ部に溝があり、その溝にクッション３を設置してあり、そのクッション３のトップにヒップ位置決め溝３１１を設置し、多数の滑り止め突出部３１２があり、その多数の滑り止め突出部３１２はそのクッション３の表面に均一的に分布され、そのシート１のトップ部に四つの突出した支柱４が設けてあり、その突出した支柱４円周面には貫通穴を設置してあり、その貫通穴にＬ字型の手すり５が配置され、その突出した支柱４のトップにその手すり５を固定用のボルト４０１を設置してあり、その手すり５の支柱４と離れている一端にソフト保護パッド６がカバーしている。【選択図】図１
0003206182.tif 000002
【実用新案登録請求の範囲】
【請求項１】
公園用ブランコ椅子において、
シートを含み、そのシートの両側にサスペンションブロックを設置してあり、そのサスペンションブロックにはサスペンション穴があり、そのサスペンションブロックにねじ穴もあり、そのねじ穴内に環状連結部を設置してあり、その環状連結部にそのねじ穴とあわせている突出部を設置してあり、そのシートのトップ部に溝があり、その溝にクッションを設置してあり、そのクッションのトップにヒップ位置決め溝を設置してあり、そのクッションのトップ部に複数の滑り止め突出部があり、その複数の滑り止め突出部はそのクッションの表面に均一的に分布され、そのシートのトップ部に四つの突出した支柱が設けてあり、その突出した支柱円周面には貫通穴を設置してあり、その貫通穴にL字型の手すりが配置され、その突出した支柱のトップにその手すりの固定用のボルトを設置してあり、その手すりの一端にソフト保護パッドがカバーしてあり、そのシートのトップの左右にスロットを設置してあり、そのスロットの中に保護スタンドを設置してあり、その保護スタンドの底部にそのスロットと合わせている挿入ブロックを設置してあり、その保護スタンドの上にスポンジパッドを設置してある
ことを特徴とする公園用ブランコ椅子。
【考案の詳細な説明】
【技術分野】
【０００１】
本実用新型は一種の新規の公園用ブランコ椅子に関する。
【背景技術】
【０００２】
ブランコは子供の玩具の一つであり、既存の技術ではのブランコに使用される椅子は簡単なプラスチック板で、その支持能力が有限で、折れやすい、同時に、椅子の後ろに位置制限装置がない、しかし、子供の自己コントロール能力が有限なので、後方に転倒しやすい、大きな安全リスクが存在している。
【考案の概要】
【考案が解決しようとする課題】
【０００３】
本実用新型は解決する必要な問題は一種の新規の公園用ブランコ椅子を提供すること、本特許申請はＬ字型の手すりによって、シートの前と後ろの位置制限することができ、使用の安全性を保障する、そして、保護スタンドとシートの組合せはスロットと挿しブロックとの合わせ方式で、保護スタンドの分解と取り付けに便利である。設置された複数の滑り止め突出部によって滑り防止の保護作用が発揮し、子供が遊びの中クッションから滑り出すことを防止できる。同時に、子供が遊ぶ過程に、大人は手すりを通してブランコ椅子を押すことができ、操作が簡単で便利である。設置された環状連結部によって、この公園用ブランコ椅子を便利に運搬することができる、機械設備で両側の環状連結部を挟むことによって移動する。
【課題を解決するための手段】
【０００４】
以上の問題を解決するために、本実用新型は以下の技術案を採用する：
【０００５】
一種の新規の公園用ブランコ椅子、シートを含め、そのシートの両側にサスペンションブロックを設置してあり、そのサスペンションブロックにはサスペンション穴があり、そのサスペンションブロックにねじ穴もあり、そのねじ穴内に環状連結部を設置してあり、その環状連結部にそのねじ穴とあわせている突出部を設置してあり、そのシートのトップ部に溝があり、その溝にクッションを設置してあり、そのクッションのトップにヒップ位置決め溝を設置してあり、そのクッションのトップ部に多数の滑り止め突出部があり、その多数の滑り止め突出部はそのクッションの表面に均一的に分布され、そのシートのトップ部に四つの突出した支柱が設けてあり、その突出した支柱円周面には貫通穴を設置してあり、その貫通穴にL字型の手すりが配置され、その突出した支柱のトップにその手すりを固定用のボルトを設置してあり、その手すりの支柱と離れている一端にソフト保護パッドがカバーしている。そのシートのトップの左右にスロットを設置してあり、そのスロットの中に保護スタンドを設置してあり、その保護スタンドの底部にそのスロットと合わせている挿しブロックを設置してあり、その保護スタンドの上にそのヒップ位置決め溝に近い側にスポンジパッドを設置してある。
【０００６】
優秀な技術案として、そのシート外部の四つの角は円弧移行、そのシートの厚さは8mm-12mm。
【０００７】
優秀な技術案として、そのサスペンションブロックはそのシートとは一体式構造で、そのサスペンションブロックはそのシートと離れている一端の二つの角位置は円弧移行。
【考案の効果】
【０００８】
本実用新型の有益な効果は：本特許申請はＬ字型の手すりによって、シートの前と後ろの位置制限することができ、使用の安全性を保障する、そして、保護スタンドとシートの組合せはスロットと挿しブロックとの合わせ方式で、保護スタンドの分解と取り付けに便利である。設置された複数の滑り止め突出部によって滑り防止の保護作用が発揮し、子供が遊びの中クッションから滑り出すことを防止できる。同時に、子供が遊ぶ過程に、大人は手すりを通してブランコ椅子を押すことができ、操作が簡単で便利である。設置された環状連結部によって、この公園用ブランコ椅子を便利に運搬することができる、機械設備で両側の環状連結部を挟むことによって移動する。本特許申請の構造は簡単で、コストが低い、普及することに相応しい。
【図面の簡単な説明】
【０００９】
【図１】本実用新型の構造見取り図。
【図２】本実用新型のストレージバスケットの構造見取り図。
【考案を実施するための形態】
【００１０】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１１】
図面１と図面２に示された一種の新規の公園用ブランコ椅子を参考してください、シート１を含め、そのシート1の両側にサスペンションブロック２を設置してあり、そのサスペンションブロック２にはサスペンション穴201があり、そのサスペンションブロック2にねじ穴（図面なし）もあり、そのねじ穴内に環状連結部21を設置してあり、その環状連結部21にそのねじ穴とあわせている突出部22を設置してあり、そのシート１のトップ部に溝（図面なし）があり、その溝にクッション3を設置してあり、そのクッション３のトップにヒップ位置決め溝311を設置してあり、そのクッション3のトップ部に多数の滑り止め突出部312があり、その多数の滑り止め突出部312はそのクッション3の表面に均一的に分布され、そのシート１のトップ部に四つの突出した支柱4が設けてあり、その突出した支柱4円周面には貫通穴（図面なし）を設置してあり、その貫通穴にL字型の手すり５が配置され、その突出した支柱４のトップにその手すり５を固定用のボルト401を設置してあり、その手すり５の支柱４と離れている一端にソフト保護パッド６がカバーしている。そのシート１のトップの左右にスロット11を設置してあり、そのスロット11の中に保護スタンド12を設置してあり、その保護スタンド12の底部にそのスロット11と合わせている挿しブロック13を設置してあり、その保護スタンド12の上にそのヒップ位置決め溝311に近い側にスポンジパッド14を設置してある。
【００１２】
本実用新型の一つの好ましい実施例として、そのシート１外部の四つの角は円弧移行、そのシート１の厚さは10mm。
【００１３】
本実用新型の一つの好ましい実施例として、そのサスペンションブロック２はそのシート１とは一体式構造で、そのサスペンションブロック２はそのシート１と離れている一端の二つの角位置は円弧移行。
【００１４】
本実用新型の有益な効果は：本特許申請はＬ字型の手すりによって、シートの前と後ろの位置制限することができ、使用の安全性を保障する、そして、保護スタンドとシートの組合せはスロットと挿しブロックとの合わせ方式で、保護スタンドの分解と取り付けに便利である。設置された複数の滑り止め突出部によって滑り防止の保護作用が発揮し、子供が遊びの中クッションから滑り出すことを防止できる。同時に、子供が遊ぶ過程に、大人は手すりを通してブランコ椅子を押すことができ、操作が簡単で便利である。設置された環状連結部によって、この公園用ブランコ椅子を便利に運搬することができる、機械設備で両側の環状連結部を挟むことによって移動する。本特許申請の構造は簡単で、コストが低い、普及することに相応しい。
【００１５】
以上、本実用新型の基本原理、主な特徴とメリットを示し説明した。この業界の技術者は理解するべきことは，本実用新型は上記の実例に制限されない、上記の例と説明書では、ただ本実用新型の原理を説明すだけで、本実用新型の精髄と範囲を脱離しない限り、これからいろいろ変化と改善を進める。この変化と改善は本実用新型の保護要求に合う。本実用新型が要求する保護範囲は添付の権利要求所及び均等物のもので定義するとする。
【図１】
0003206182.tif 000003
【図２】
0003206182.tif 000004